(57)【要約】【課題】  馬蹄形の無終端水路を有し、大きな動力を必要とせず汚泥の堆積を防止することが可能なオキシデーションディッチ槽を提供する。【解決手段】  オキシデーションディッチ槽１は、排水を汚泥とともに混合液として循環させる馬蹄形の無終端水路３と、無終端水路３中の外周水路７のコーナ出口７ｆに設けられ、混合液の水流をガイドするガイド面２５ａ，２７ａを有し、鉛直軸回りにガイド面２５ａ，２７ａを回動するガイドベーン２５，２７と、を備えている。このガイドベーン２５，２７は、ガイド面２５ａ，２７ａをコーナ出口の混合液の流線方向Ｃに沿わせた通常状態、及び、ガイド面をコーナ出口７ｆの水流が当該コーナ出口の内側７ｇに向けてガイドされる向きへ向けた矯正状態にセットすることが可能である。【選択図】  図２
2005305213.tif 000002
【特許請求の範囲】
【請求項１】
排水を汚泥中の微生物により生物処理するオキシデーションディッチ槽であって、
前記排水を前記汚泥とともに混合液として循環させる馬蹄形の無終端水路と、
前記無終端水路中の外周水路のコーナ出口に設けられ、前記混合液の水流をガイドするガイド面を有し、鉛直軸回りに前記ガイド面を回動し前記混合液の流線に対するガイド面の角度を変化させることが可能なガイドベーンと、を備え、
前記ガイドベーンは、
前記ガイド面を前記コーナ出口の前記混合液の流線方向に沿わせた通常状態、及び、前記ガイド面を前記コーナ出口の水流が当該コーナ出口の内側に向けてガイドされる向きへ向けた矯正状態にセットすることが可能であることを特徴とするオキシデーションディッチ槽。
【請求項２】
前記外周水路のコーナ出口の内側における前記汚泥の堆積状態を検出する汚泥堆積検出手段と、
前記汚泥堆積検出手段により検出された堆積状態が、所定の堆積状態よりも高い場合には前記ガイドベーンを前記矯正状態にセットし、それ以外の場合には前記ガイドベーンを前記通常状態にセットするように前記ガイドベーンの駆動を制御するガイドベーン制御手段と、
を更に備えた請求項１に記載のオキシデーションディッチ槽。
【請求項３】
前記ガイドベーンは、
前記矯正状態にセットされたときに前記ガイド面の一端部が前記外周水路の外壁に接触することを特徴とする請求項１又は２に記載のオキシデーションディッチ槽。
【請求項４】
複数の前記ガイドベーンを有することを特徴とする請求項１又は２に記載のオキシデーションディッチ槽。
【請求項５】
複数の前記ガイドベーンのうち前記外周水路の外壁に最も近いガイドベーンは、
前記矯正状態にセットされたときに前記ガイド面の一端部が前記外周水路の外壁に接触することを特徴とする請求項４に記載のオキシデーションディッチ槽。
【請求項６】
複数の前記ガイドベーンは、
前記矯正状態にセットされたときに、前記ガイドベーン各々のガイド面同士が隙間なく配列されることを特徴とする請求項４又は５に記載のオキシデーションディッチ槽。
【請求項７】
前記無終端水路中に設けられ前記混合液を曝気撹拌する曝気撹拌装置を備えた請求項１〜６の何れか１項に記載のオキシデーションディッチ槽。
【発明の詳細な説明】
【技術分野】
【０００１】
本発明はオキシデーションディッチ槽に関する。
【背景技術】
【０００２】
従来、長円形の無終端水路を有するオキシデーションディッチ槽として、汚砂が堆積し易い箇所にピットを設け、ピット内に堆積した汚砂をサンドポンプにより取り去るオキシデーションディッチ槽が知られている。（例えば、特許文献１参照。）。
【特許文献１】特開平６−２２６２８３号公報
【発明の開示】
【発明が解決しようとする課題】
【０００３】
オキシデーションディッチ槽の水路としては、特許文献１に記載された長円形の無終端水路の他、馬蹄形の無終端水路も用いられる。馬蹄形の無終端水路においても、長円形の水路と同様に汚泥の堆積を防止し処理水質低下を防止する必要がある。本発明者らは、馬蹄形の無終端水路を有するオキシデーションディッチ槽においては、無終端水路の外周水路のコーナ出口の内側がもっとも排水と汚泥の混合液の流速が遅く、この箇所に汚泥が堆積し易いことを見出した。
【０００４】
このとき、特許文献１のように外周水路のコーナ出口の内側にピットを設け、ピット内に堆積した汚泥をポンプにより取り去ることも考えられるが、そのようなポンプとしては大型のものが必要であり、ポンプを駆動させるための大きな動力が必要となってしまう。
【０００５】
そこで、本発明は、馬蹄形の無終端水路を有し、大きな動力を必要とせず汚泥の堆積を防止することが可能なオキシデーションディッチ槽を提供することを目的とする。
【課題を解決するための手段】
【０００６】
上記課題を解決するため、本発明のオキシデーションディッチ槽は、排水を汚泥中の微生物により生物処理するオキシデーションディッチ槽であって、排水を汚泥とともに混合液として循環させる馬蹄形の無終端水路と、無終端水路中の外周水路のコーナ出口に設けられ、混合液の水流をガイドするガイド面を有し、鉛直軸回りにガイド面を回動し混合液の流線に対するガイド面の角度を変化させることが可能なガイドベーンと、を備え、ガイドベーンは、ガイド面をコーナ出口の混合液の流線方向に沿わせた通常状態、及び、ガイド面をコーナ出口の水流が当該コーナ出口の内側に向けてガイドされる向きへ向けた矯正状態にセットすることが可能であることを特徴とする。
【０００７】
このオキシデーションディッチ槽は、通常状態及び矯正状態にセットすることが可能なガイドベーンを備えている。ガイドベーンが通常状態にセットされた場合は混合液の流線方向に沿ってガイド面が向けられるので、混合液はガイド面から受ける抵抗が小さくなり流線にそって円滑に流れる。一方、ガイドベーンが矯正状態にセットされた場合は、混合液のコーナ出口での水流がコーナ出口の内側に向けてガイドされる。このため、コーナ出口の内側の流速が速くなり、コーナ出口の内側に堆積した汚泥が混合液により押し流される。
【０００８】
また、本発明のオキシデーションディッチ槽は、外周水路のコーナ出口の内側における汚泥の堆積状態を検出する汚泥堆積検出手段と、汚泥堆積検出手段により検出された堆積状態が、所定の堆積状態よりも高い場合にはガイドベーンを矯正状態にセットし、それ以外の場合にはガイドベーンを通常状態にセットするようにガイドベーンの駆動を制御するガイドベーン制御手段と、を更に備えてもよい。
【０００９】
このオキシデーションディッチ槽では、コーナ出口の内側に汚泥が堆積した場合、汚泥堆積検出手段により所定よりも高い堆積状態が検出され、ガイドベーン制御手段によりガイドベーンが矯正状態にセットされる。このことにより、コーナ出口の内側に堆積した汚泥が混合液により押し流される。また、コーナ出口の内側に汚泥が堆積していない場合は、ガイドベーン制御手段によりガイドベーンが通常状態にセットされ、混合液が円滑に流れる。このオキシデーションディッチ槽によれば、上記のようなガイドベーンの駆動がガイドベーン制御手段により自動的に行われる。
【００１０】
また、本発明のオキシデーションディッチ槽は、ガイドベーンが、矯正状態にセットされたときにガイド面の一端部が外周水路の外壁に接触することを特徴としてもよい。
【００１１】
このオキシデーションディッチ槽によれば、ガイドベーンが矯正状態にセットされた場合、外周水路のコーナ出口を通過する混合液が効率的にコーナ出口の内側へとガイドされる。
【００１２】
また、本発明のオキシデーションディッチ槽は、複数のガイドベーンを有することを特徴としてもよい。ガイドベーンを複数にすることによりそれぞれのガイドベーンのガイド面を小型化することが可能とされ、ガイド面が小型化されることによってガイドベーンが通常状態にセットされたときの混合液の水流がより円滑にされる。
【００１３】
また、本発明のオキシデーションディッチ槽は、複数のガイドベーンのうち外周水路の外壁に最も近いガイドベーンが、矯正状態にセットされたときにガイド面の一端部が外周水路の外壁に接触することを特徴としてもよい。
【００１４】
このオキシデーションディッチ槽によれば、ガイドベーンが矯正状態にセットされた場合、外周水路のコーナ出口を通過する混合液が効率的にコーナ出口の内側へとガイドされる。
【００１５】
また、本発明のオキシデーションディッチ槽は、複数のガイドベーンが、矯正状態にセットされたときに、各ガイドベーンの各ガイド面同士が隙間なく配列されることを特徴としてもよい。
【００１６】
このオキシデーションディッチ槽によれば、ガイドベーンのガイド面が矯正状態にセットされた場合、外周水路のコーナ出口を通過する混合液が効率的にコーナ出口の内側へとガイドされる。
【００１７】
また、本発明のオキシデーションディッチ槽は、無終端水路中に設けられ混合液を曝気撹拌する曝気撹拌装置を備えてもよい。
【発明の効果】
【００１８】
本発明によれば、馬蹄形の無終端水路を有し、大きな動力を必要とせず汚泥の堆積を防止することが可能なオキシデーションディッチ槽を提供することができる。
【発明を実施するための最良の形態】
【００１９】
以下、本発明の実施の形態について説明する。なお、同一要素には同一符号を用い、重複する説明は省略する。
【００２０】
図１は、オキシデーションディッチ槽１の平面図である。オキシデーションディッチ槽１は馬蹄形の無終端水路３を有している。オキシデーションディッチ槽１は、排水を無終端水路３で汚泥と共に図中矢印Ａ方向に循環させ汚泥中の微生物により生物処理する排水処理槽である。
【００２１】
無終端水路３は、隔壁２１及び内壁２２に挟まれ画成された馬蹄形の内周水路５と、外壁２３及び隔壁２１に挟まれ画成され内周水路５を囲むように馬蹄形に設けられた外周水路７を有している。内周水路５と外周水路７との端部同士はコーナ９及びコーナ１１において連結されている。外周水路７は、直線部７ａ、直線部７ｂ、及び半円弧状に形成され直線部７ａと直線部７ｂとを連結するコーナ部７ｃを有している。以下、直線部７ａとコーナ部７ｃとが連結される箇所をコーナ入口７ｅと称し、コーナ部７ｃと直線部７ｂとが連結される箇所をコーナ出口７ｆと称する。
【００２２】
オキシデーションディッチ槽１は、無終端水路３のコーナ１１付近に接続された排水流入ラインＬ１及び返送汚泥流入ラインＬ２と、コーナ９付近に接続された処理水流出ラインＬ３とを有している。排水流入ラインＬ１は、処理対象となる排水を無終端水路３へ取り込むラインである。処理水流出ラインＬ３は、処理後の処理水を無終端水路３から流出させるラインである。返送汚泥流入ラインＬ２は処理水とともに流出した汚泥を無終端水路３へ再び取り込むラインである。
【００２３】
オキシデーションディッチ槽１は、コーナ９に設けられた曝気撹拌装置１３及びコーナ１１に設けられた撹拌装置１５を有している。曝気撹拌装置１３，撹拌装置１５はいわゆる縦軸型の撹拌装置であり、排水と汚泥の混合液を循環させるための動力として用いられる。曝気撹拌装置１３は鉛直軸回りに回転することにより、混合液をコーナ９から外周水路７の直線部７ａへ向けて押し流す。また、曝気撹拌装置１３は曝気機能を併有しており、コーナ９を通過する混合液に空気を吹き込む。撹拌装置１５は鉛直軸回りに回転することにより、混合液をコーナ１１から内周水路５へ向けて押し流す。混合液は、コーナ９を通過する際に曝気撹拌装置１３で曝気され酸素が溶解するので、外周水路７を通過する間に汚泥中の好気性微生物により好気性処理が行われる。また、混合液は、コーナ１１を通過する時には溶解した酸素が使い果たされるので、内周水路５を通過する間に汚泥中の嫌気性微生物により嫌気性処理が行われる。このように混合液は、無終端水路３を循環しながら好気性処理と嫌気性処理とが交互に行われる。
【００２４】
図２は、オキシデーションディッチ槽１のコーナ出口７ｆ付近を拡大して示す平面図である。オキシデーションディッチ槽１は、コーナ出口７ｆに設けられた複数のガイドベーンを備えている。本実施形態においては、オキシデーションディッチ槽１は、外壁２３に近い側のガイドベーン２５、及びガイドベーン２５よりも隔壁２１側に設けられたガイドベーン２７の合計２つのガイドベーン２５，２７を備えている。図３は、ガイドベーン２５，２７を示す側面図である。ガイドベーン２５，２７は、ガイド板２５ｓ，２７ｓを有している。ガイド板２５ｓ，２７ｓは、混合液の水面４１下で鉛直面に沿って伸びており、例えば、流線型の水平断面を有する形状に形成される。ガイド板２５ｓ，２７ｓは混合液の水流をガイドするガイド面２５ａ，２７ａを有している。ガイドベーン２５，２７は、鉛直方向に沿って伸びるシャフト２５ｚ，２７ｚを中心にして鉛直軸回りに回動可能とされている。ガイドベーン２５，２７が回動することにより、ガイド板２５ｓ，２７ｓが回動し、ガイド面２５ａ，２７ａが混合液の流線Ｃに対する角度が変化する。シャフト２５ｚ，２７ｚの上端はフレーム４３に回動可能に固定され、下端は外周水路７の底壁２４に回動可能に固定されている。シャフト２５ｚ，２７ｚの上端にはガイドベーン２５，２７を回動させるためのガイドベーン駆動手段としてモータ４５が設けられている。モータ４５は、共用シャフト４７を含む伝達機構を介して出力をシャフト２５ｚ，２７ｚに伝え、ガイドベーン２５，２７を連動して回動するようにされている。
【００２５】
図２に示すガイドベーン２５，２７は、ガイド面２５ａ，２７ａをコーナ出口７ｆの流線Ｃに沿わせた方向に向けている。以下、このガイドベーンの状態を「通常状態」と称する。図４は、ガイドベーン２５，２７が回動し別の状態にセットされた状態を示す図である。この状態において、ガイドベーン２５，２７のガイド面２５ａ，２７ａは流線Ｃに交差しており、ガイド面２５ａの一端部２５ｂは外壁２３に接触している。また、この状態において、ガイド面２５ａ及びガイド面２７ａが隙間なく配列された状態とされる。以下、このガイドベーンの状態を「矯正状態」と称する。
【００２６】
ガイドベーン２５，２７は、上記のように、通常状態、矯正状態の２つの状態にセットされることが可能とされている。通常状態（図２参照）においては、混合液がガイド面２５ａ，２７ａから受ける抵抗が最小となるので混合液は隔壁２１及び外壁２３に平行な流線Ｃに沿って円滑に流れる。矯正状態（図４参照）においては、ガイド面２５ａ及びガイド面２７ａが流線Ｃを横切っているため、混合液の水流はガイド面２５ａ及びガイド面２７ａによってコーナ出口７ｆの内側７ｇへ向かう方向へガイドされる。
【００２７】
再び図１、図２を参照する。オキシデーションディッチ槽１は、コーナ出口内側７ｇに設けられた汚泥堆積検出装置２９を備えている。汚泥堆積検出装置２９は、コーナ出口内側７ｇの底部に堆積した汚泥の堆積状態を検出する。例えば、汚泥堆積検出装置２９としては、コーナ出口内側７ｇの底部における混合液の汚泥濃度を検出する汚泥濃度測定装置が用いられる。この汚泥濃度測定装置は、例えば、コーナ出口内側７ｇの底部に設けられ、底部の混合液をサンプリングするサンプリング管と、このサンプリング管で採取された混合液の汚泥濃度を測定する測定装置を有する汚泥濃度測定装置を備える。また、例えば、汚泥堆積検出装置２９としては、ＯＲＰ計（酸化還元電位差計）を有し、ＯＲＰ計によって底部の混合液の酸化還元電位を測定する酸化還元電位測定装置が用いられてもよい。底部における汚泥の堆積状態は、底部の混合液の汚泥濃度や底部の混合液の酸化還元電位との間に相関関係があり、底部に堆積している汚泥が多いほど底部の混合液の汚泥濃度が高くなり、また、堆積した汚泥が腐敗することにより酸化還元電位が低くなる。よって、上記のような測定装置によって汚泥の堆積状態を検出することができ、混合液の汚泥濃度が高いほど、また、酸化還元電位が低いほど、汚泥がより多く堆積していると判断される。
【００２８】
オキシデーションディッチ槽１において、ガイドベーン２５，２７を駆動し、通常状態又は矯正状態にセットするための制御について図５のブロック図を参照しながら説明する。汚泥堆積検出装置２９は例えば、コンピュータといった制御部３１に接続されており、検出した汚泥の堆積状態を例えば電気信号として制御部３１へ送信する。制御部３１は、接続されたモータ４５に駆動信号を送信し、モータ４５を駆動させ、ガイドベーン２５，２７を回動させる。
【００２９】
図６は、ガイドベーン２５，２７を制御する処理を示すフロー図である。なお、ここでは、汚泥堆積検出装置２９として汚泥濃度測定装置を用いた場合について説明する。まず、汚泥堆積検出装置２９は、コーナ出口内側７ｇにおける混合液の汚泥濃度に応じた電気信号を制御部３１へ送信する（Ｓ１０２）。制御部３１は、受信した電気信号を基に、測定された汚泥濃度を所定の濃度と大小比較する（Ｓ１０４）。制御部３１は、Ｓ１０４において測定された汚泥濃度が所定の汚泥濃度よりも高いと判断した場合には、モータ４５に駆動信号を送信し、ガイドベーン２５，２７を駆動し矯正状態へセットする（Ｓ１０６）。但し、すでにガイドベーン２５，２７が矯正状態にセットされていた場合には、制御部３１はモータ４５の駆動を行わない。制御部３１は、Ｓ１０４において測定された汚泥濃度が所定の汚泥濃度よりも高くないと判断した場合には、モータ４５に駆動信号を送信し、ガイドベーン２５，２７を駆動し通常状態へセットする（Ｓ１０８）。但し、すでにガイドベーン２５，２７が通常状態にセットされていた場合には、制御部３１はモータ４５の駆動を行わない。オキシデーションディッチ槽１では、以上の処理が継続的に一定時間繰り返されてもよく、単発的に行われてもよい。
【００３０】
上記オキシデーションディッチ槽１では、通常状態及び矯正状態にセットすることが可能なガイドベーンを備えている。このガイドベーン２５，２７が通常状態にセットされた場合は混合液の流線Ｃ方向に沿ってガイド面２５ａ，２７ａが向けられるので、混合液はガイド面２５ａ，２７ａから受ける抵抗が最小となり流線Ｃにそって円滑に流れる。一方、ガイドベーン２５，２７が矯正状態にセットされた場合は、混合液のコーナ出口７ｆでの水流がコーナ出口７ｆの内側７ｇに向けてガイドされる。このため、コーナ出口内側７ｇの流速が速くなり、コーナ出口内側７ｇに堆積した汚泥が混合液により押し流される。このことにより、馬蹄形の無終端水路３の中で比較的流速の遅い外周水路７のコーナ出口内側７ｇにおける汚泥の堆積が防止される。オキシデーションディッチ槽１によれば、汚泥の堆積が防止されることにより、汚泥の腐敗現象が防止され、良好な生物処理が可能とされる。
【００３１】
また、オキシデーションディッチ槽１では、コーナ出口７ｆの内側７ｇに汚泥が堆積した場合、汚泥堆積検出装置２９により所定よりも高い堆積状態が検出され、制御部３１及びモータ４５によりガイドベーン２５，２７が矯正状態にセットされる。このことにより、コーナ出口内側７ｇに堆積した汚泥が混合液により押し流される。また、コーナ出口内側７ｇに汚泥が堆積していない場合は、制御部３１及びモータ４５によりガイドベーン２５，２７が通常状態にセットされ、混合液が円滑に流れる。このオキシデーションディッチ槽１によれば、上記のようなガイドベーン２５，２７の駆動が制御部３１及びモータ４５により自動的に行われる。
【００３２】
また、オキシデーションディッチ槽１は、複数のガイドベーン２５，２７を有しているので、それぞれのガイドベーンのガイド面２５ａ，２７ａを小型化することが可能とされる。ガイド面２５ａ，２７ａが小型化されることによってガイドベーン２５，２７が通常状態にセットされたときの混合液の抵抗がより小さくなり、水流がより円滑にされる。また、ガイド面２５ａ，２７ａが小型化されることにより、通常状態と矯正状態とを切り替えるときに必要なエネルギーが小さくされる。また、ガイドベーンを複数設けることにより、混合液の流線に合わせてガイドベーンごとに向きを微調整することが可能となるのでコーナ出口７ｆにおける混合液の整流の効果が高くなる。
【００３３】
また、オキシデーションディッチ槽１では、ガイドベーン２５が、矯正状態にセットされたときにガイド面２５ａの一端部２５ｂが外周水路７の外壁２３に接触するので、外周水路７のコーナ出口７ｆを通過する混合液が効率的にコーナ出口内側７ｇへとガイドされる。
【００３４】
また、オキシデーションディッチ槽１では、ガイドベーン２５，２７が、矯正状態にセットされたときに、ガイドベーン２５とガイドベーン２７の各ガイド面２５ａ，２７ａが隙間なく配列されることとなるので、外周水路７のコーナ出口７ｆを通過する混合液が効率的にコーナ出口内側７ｇへとガイドされる。
【００３５】
また、オキシデーションディッチ槽１では、上述した従来のオキシデーションディッチ槽のような大型のポンプを用いることなく汚泥の堆積防止が可能なので、ポンプのための大きな動力が不要とされ、ポンプのメンテナンスも不要である。
【００３６】
なお、本発明は上記した実施形態に限定されることなく種々の変形が可能である。例えば、上記した実施形態のオキシデーションディッチ槽１は、ガイドベーンを２つ備えているが、単数のガイドベーンを備えることとしてもよく、３以上のガイドベーンを備えることとしてもよい。図７は、単数のガイドベーン１２５を備えるオキシデーションディッチ槽１のコーナ出口７ｆ付近の拡大平面図を示すものである。本図において、ガイドベーン１２５が通常状態にセットされた場合を破線で表し、矯正状態にセットされた場合を実線で表している。図に示すようにガイドベーン１２５はシャフト１２５ｚ回りに回動し、通常状態、矯正状態にセットすることが可能とされている。また、ガイドベーン１２５は、矯正状態にセットされたときにガイド面１２５ａの一端部１２５ｂが外壁２３に接触するように設けられる。
【００３７】
また、上記した実施形態のオキシデーションディッチ槽１は、ガイドベーンをモータにより駆動させることとしているが、他の駆動手段としてもよく、手動によりガイドベーンを駆動させてもよい。また、本発明においては、汚泥の堆積状態を検出することも必須ではなく、汚泥の堆積状態に関わらずガイドベーンを矯正状態にセットする処理を定期的に行うこととしてもよい。
【００３８】
また、上記した実施形態のオキシデーションディッチ槽１では、共用シャフト４７を介して１つのモータ４５でガイドベーン２５，２７を連動させるように駆動しているが、ガイドベーンごとに１つずつのモータを設け、ガイドベーン２５，２７を独立して駆動してもよい。
【００３９】
また、上記した実施形態のオキシデーションディッチ槽１では、無終端水路３の水流を発生させるために縦軸型の撹拌装置を用いているが、横軸型、スクリュー型、軸流ポンプ型、プロペラ型のいずれの撹拌装置を用いてもよい。
【図面の簡単な説明】
【００４０】
【図１】オキシデーションディッチ槽の平面図である。
【図２】オキシデーションディッチ槽のコーナ出口付近の平面図である。
【図３】ガイドベーンを示す側面図である。
【図４】矯正状態にセットされたガイドベーンを示す図である。
【図５】ガイドベーンの制御手段を示すブロック図である。
【図６】ガイドベーンを制御する処理を示すフロー図である。
【図７】オキシデーションディッチ槽のコーナ出口付近の平面図である。
【符号の説明】
【００４１】
１…オキシデーションディッチ槽、３…無終端水路、５…内周水路、７…外周水路、７ａ…直線部、７ｂ…直線部、７ｃ…コーナ部、７ｅ…コーナ入口、７ｆ…コーナ出口、７ｇ…コーナ出口内側、９，１１…コーナ、１３…曝気撹拌装置、１５…撹拌装置、２１…隔壁、２２…内壁、２３…外壁、２４…底壁、２５，２７…ガイドベーン、２５ｓ，２７ｓ…ガイド板、２５ａ，２７ａ…ガイド面、２５ａ，２７ａ…ガイド面、２５ｚ，２７ｚ…シャフト、２５ｂ…一端部、２９…汚泥堆積検出装置、３１…制御部、４５…モータ、１２５…ガイドベーン、１２５ａ…ガイド面、１２５ｂ…一端部、Ｃ…流線。
【図１】
2005305213.tif 000003
【図２】
2005305213.tif 000004
【図３】
2005305213.tif 000005
【図４】
2005305213.tif 000006
【図５】
2005305213.tif 000007
【図６】
2005305213.tif 000008
【図７】
2005305213.tif 000009